(57)【要約】【課題】上下バーナを有するグリル部を備え、一対のマイクロスイッチのＯＮ／ＯＦＦ動作に基づいて上下バーナの火力調整を行うものであっても、組み付けや組み付け状態の確認を容易に行えるようにして、カムの形状もシンプルとする。【解決手段】カム機構部３１が収容されるメカボックス３３に、固定板９１を左右方向に固定してその固定板９１の前面に、第１、第２マイクロスイッチ９２，９３を点消火ボタン１５が回転操作される円周方向に並べて固定し、動作カム９４を、点消火ボタン１５の回転に連動して第１、第２マイクロスイッチ９２，９３の各レバー９２ａ，９３ａの下方で円周方向に移動させることで、各レバー９２ａ，９３ａを上下に揺動させる。【選択図】図３
2019032117.tif 000002
【特許請求の範囲】
【請求項１】
上バーナ及び下バーナを備えたグリル部を有する器体内に、前側の操作部材と、前記上バーナ及び前記下バーナへのガス流路を開閉する弁軸を備えた後側の流路開閉部と、前記操作部材と前記流路開閉部との間で前後移動可能なカムを備え、前記操作部材の押し込み操作の繰り返しにより前記カムの前後位置を変更して、前記弁軸を、前記ガス流路を閉塞する消火位置と前記ガス流路を開放する燃焼位置とに前後移動させるカム機構部と、前記操作部材の回転操作により前記燃焼位置での前記上バーナ及び前記下バーナの火力を調整する火力調整部とを設けてなり、
前記火力調整部を、それぞれレバーを下向きにして配置される２つのマイクロスイッチと、前記２つのマイクロスイッチの下方に設けられ、前記操作部材の回転に連動して前記操作部材の回転中心を中心とする円周方向に移動し、各前記レバーを上下に揺動させる動作カムと、各前記レバーの揺動による前記２つのマイクロスイッチのＯＮ／ＯＦＦ動作の組み合わせに応じて前記上バーナ及び前記下バーナへのガス量を変更するガス量変更手段と、から構成したガス調理器具であって、
前記カム機構部が収容されるケースに、固定板が左右方向に固定されてその固定板の前面に、前記２つのマイクロスイッチが左右方向に並べて固定され、
前記動作カムは、前記操作部材の回転に連動して前記２つのマイクロスイッチの各前記レバーの下方で前記円周方向に移動することで、各前記レバーを上下に揺動させることを特徴とするガス調理器具。
【請求項２】
各前記レバーの先端部には、Ｖ字状の作用部が形成され、前記動作カムの前記円周方向の両端には、前記動作カムへの前記作用部の乗り降りを導く傾斜部が形成されて、前記円周方向との接線方向からの前記傾斜部の立ち上がり角度は、前記接線方向からの前記作用部の立ち上がり角度よりも小さいことを特徴とする請求項１に記載のガス調理器具。
【請求項３】
前記固定板の側縁には、切込みが形成され、前記２つのマイクロスイッチから延びる配線は、前記切込みに係止して後方へ引き回され、前記固定板の後方で互いに結束されていることを特徴とする請求項１又は２に記載のガス調理器具。
【発明の詳細な説明】
【技術分野】
【０００１】
本発明は、コンロ等のガス調理器具に関する。
【背景技術】
【０００２】
コンロ等のガス調理器具においては、ガスバーナを被調理物の加熱手段として備えると共に、器体の前面に設けた点消火ボタン（操作部材）の押し操作によってガスバーナの点消火動作が可能となるプッシュスイッチ機構を設けたものが知られている。また、このプッシュスイッチ機構では、燃焼位置で点消火ボタンを回転させることで、ガスバーナの火力調整が可能となっている（例えば特許文献１）。この特許文献１では、上バーナと下バーナとを備えたグリルを有するガスコンロを開示しており、グリル側のプッシュスイッチ機構の上部側ケーシングに、一対の火力調節用スイッチ（マイクロスイッチ）を前後に並べて配置する一方、グリル用操作具（点消火ボタン）と一体回転するスイッチ操作カムを前後に並べて設けて、点消火ボタンの回転操作に伴い、２つのスイッチ操作カムが一対のマイクロスイッチをＯＮ／ＯＦＦさせることで、制御部がグリル側電磁弁を開閉操作して上下バーナの火力を４段階に調節可能としている。
【先行技術文献】
【特許文献】
【０００３】
【特許文献１】特開２０１７−３１６４号公報
【発明の概要】
【発明が解決しようとする課題】
【０００４】
上記特許文献１のグリルの火力調整は、上部側ケーシングの前後にマイクロスイッチを並べて設置するので、組み付けが面倒である上、組み付け状態の確認（目視）もやりにくくなっていた。また、前後のマイクロスイッチをＯＮ／ＯＦＦ動作させるためにスイッチ操作カムも前後に形状を変えて設ける必要があり、カムの形状が複雑となってしまう。
【０００５】
そこで、本発明は、上下バーナを有するグリル部を備え、一対のマイクロスイッチのＯＮ／ＯＦＦ動作に基づいて上下バーナの火力調整を行うものであっても、組み付けや組み付け状態の確認を容易に行うことができ、カムの形状もシンプルとなるガス調理器具を提供することを目的としたものである。
【課題を解決するための手段】
【０００６】
上記目的を達成するために、請求項１に記載の発明は、上バーナ及び下バーナを備えたグリル部を有する器体内に、前側の操作部材と、上バーナ及び下バーナへのガス流路を開閉する弁軸を備えた後側の流路開閉部と、操作部材と流路開閉部との間で前後移動可能なカムを備え、操作部材の押し込み操作の繰り返しによりカムの前後位置を変更して、弁軸を、ガス流路を閉塞する消火位置とガス流路を開放する燃焼位置とに前後移動させるカム機構部と、操作部材の回転操作により燃焼位置での上バーナ及び下バーナの火力を調整する火力調整部とを設けてなり、火力調整部を、それぞれレバーを下向きにして配置される２つのマイクロスイッチと、２つのマイクロスイッチの下方に設けられ、操作部材の回転に連動して操作部材の回転中心を中心とする円周方向に移動し、各レバーを上下に揺動させる動作カムと、各レバーの揺動による２つのマイクロスイッチのＯＮ／ＯＦＦ動作の組み合わせに応じて上バーナ及び下バーナへのガス量を変更するガス量変更手段と、から構成したガス調理器具であって、
カム機構部が収容されるケースに、固定板が左右方向に固定されてその固定板の前面に、２つのマイクロスイッチが左右方向に並べて固定され、動作カムは、操作部材の回転に連動して２つのマイクロスイッチの各レバーの下方で円周方向に移動することで、各レバーを上下に揺動させることを特徴とする。
請求項２に記載の発明は、請求項１の構成において、各レバーの先端部には、Ｖ字状の作用部が形成され、動作カムの円周方向の両端には、動作カムへの作用部の乗り降りを導く傾斜部が形成されて、円周方向との接線方向からの傾斜部の立ち上がり角度は、接線方向からの作用部の立ち上がり角度よりも小さいことを特徴とする。
請求項３に記載の発明は、請求項１又は２の構成において、固定板の側縁には、切込みが形成され、２つのマイクロスイッチから延びる配線は、切込みに係止して後方へ引き回され、固定板の後方で互いに結束されていることを特徴とする。
【発明の効果】
【０００７】
請求項１に記載の発明によれば、上下バーナを有するグリル部を備え、２つのマイクロスイッチのＯＮ／ＯＦＦ動作に基づいて上下バーナの火力調整を行うものであっても、組み付けや組み付け状態の確認を容易に行うことができる。また、２つのマイクロスイッチをＯＮ／ＯＦＦ動作させる場合でも、動作カムはシンプルな形状となる。
請求項２に記載の発明によれば、請求項１の効果に加えて、動作カムの傾斜部の立ち上がり角度を、レバーの作用部の立ち上がり角度よりも小さくしたことで、２つのマイクロスイッチの各レバーに動作カムが強く当たることを防止でき、火力調整時の操作部材の操作感を損なうことがない。
請求項３に記載の発明によれば、請求項１又は２の効果に加えて、２つのマイクロスイッチから延びる配線を固定板の側縁に設けた切込みに係止させて後方へ引き回し、固定板の後方で互いに結束したことで、２つのマイクロスイッチの複数の配線をまとめることができ、組み付けやメンテナンスの際の作業性が良好となる。
【図面の簡単な説明】
【０００８】
【図１】ビルトインコンロの斜視図である。
【図２】グリル部の構成図である。
【図３】プッシュスイッチ機構の斜視図である。
【図４】プッシュスイッチ機構の分解斜視図である。
【図５】カム機構部の分解斜視図である。
【図６】（Ａ）は前カムの正面図、（Ｂ）は後カムの正面図である。
【図７】点消火ボタンの回転角度と各マイクロスイッチのＯＮ／ＯＦＦ状態及び上下バーナの火力との関係を示す表である。
【図８】点消火ボタンの回転角度０°の場合の火力調整部の説明図で、（Ａ）は側面、（Ｂ）はＡ−Ａ線断面、（Ｂ）は拡大斜視をそれぞれ示す。
【図９】点消火ボタンの回転角度４５°の場合の火力調整部の説明図で、（Ａ）は側面、（Ｂ）はＢ−Ｂ線断面、（Ｂ）は拡大斜視をそれぞれ示す。
【図１０】点消火ボタンの回転角度７５°の場合の火力調整部の説明図で、（Ａ）は側面、（Ｂ）はＣ−Ｃ線断面、（Ｂ）は拡大斜視をそれぞれ示す。
【図１１】点消火ボタンの回転角度９０°の場合の火力調整部の説明図で、（Ａ）は側面、（Ｂ）はＤ−Ｄ線断面、（Ｂ）は拡大斜視をそれぞれ示す。
【図１２】消火位置のプッシュスイッチ機構の説明図で、（Ａ）が側面、（Ｂ）が底面をそれぞれ示す。
【図１３】点火押切位置のプッシュスイッチ機構の説明図で、（Ａ）が側面、（Ｂ）が底面をそれぞれ示す。
【図１４】燃焼位置のプッシュスイッチ機構の説明図で、（Ａ）が側面、（Ｂ）が底面をそれぞれ示す。
【図１５】消火押切位置のプッシュスイッチ機構の説明図で、（Ａ）が側面、（Ｂ）が底面をそれぞれ示す。
【発明を実施するための形態】
【０００９】
以下、本発明の実施の形態を図面に基づいて説明する。
図１は、ガス調理器具の一例であるビルトインコンロの斜視図である。このビルトインコンロ１は、平面視が横長矩形状の器体２内に、前側（図１の左下側）で左右に２つ、その間で後側に１つの３つのコンロ部３，３・・と、前側の２つのコンロ部３，３の間に位置するグリル部４とを備えてなる。
器体２は、前面及び上面を開口した本体５と、本体５の前面に取り付けられる前枠６と、前枠６の下側に取り付けられるフロントパネル７と、本体５の上面の開口に取り付けられる天板８とからなる。器体２の上面の開口には、天板８の下方でキッチンのキャビネットに係止するフランジ９が周設されている。各コンロ部３は、天板８から上方に露出して上面にバーナヘッド１１を載置したコンロバーナ１０と、その周囲に位置する五徳１２とを備えている。１３は、グリル部４の排気キャップである。
【００１０】
フロントパネル７の中央には、グリル扉１４が設けられ、その左右には、コンロバーナ１０や後述するグリルバーナを点消火操作するための操作部材としての点消火ボタン１５，１５・・と、タイマー調理等の設定を行うための開閉式の操作パネル１６とが設けられている。点消火ボタン１５は、器体２内に収容したプッシュスイッチ機構の前端に備えられて、点消火ボタン１５の押し操作の繰り返しにより、各バーナの点消火動作が可能となっている。
図２にグリル部４の構成図を示す。グリル部４では、グリルバーナとして上バーナ１７と下バーナ１８とが備えられ、ガス入口からの流路には、マグネット電磁弁１９とメイン弁２０とが設けられて、その下流側は、上バーナ１７側への上流路２１と、下バーナ１８側への下流路２２とに分岐している。上流路２１には、上切替電磁弁２４を備えた上バイパス流路２３が設けられ、下流路２２には、下切替電磁弁２６を備えた下バイパス流路２５が設けられている。上バイパス流路２３の下流で上流路２１には、閉止電磁弁２７が設けられている。
【００１１】
マグネット電磁弁１９とメイン弁２０とは、プッシュスイッチ機構３０内に組み込まれて、マグネット電磁弁１９は、点消火ボタン１５のプッシュ操作で開動作し、回路基板からなる図示しないコントローラからの通電制御によって開弁保持される。メイン弁２０は、点消火ボタン１５のプッシュプッシュ操作で開閉動作する。上切替電磁弁２４及び下切替電磁弁２６、閉止電磁弁２７は、それぞれコントローラからの通電制御によって開閉動作する。
コンロ部３の構成は、コンロバーナ１０への分岐しない流路に、閉止電磁弁２７に代えて、点消火ボタン１５の回転操作によってガス量を調整する火力調節ニードルが設けられる点を除いてグリル部４と同じである。
以下、グリル部４におけるプッシュスイッチ機構３０について詳述する。
【００１２】
［プッシュスイッチ機構の説明］
図３は、プッシュスイッチ機構３０の斜視図、図４は分解斜視図、図５はカム機構部の分解斜視図である。このプッシュスイッチ機構３０は、カム機構部３１と、カム機構部３１の後方に取り付けられる流路開閉部３２とを備えてなる。流路開閉部３２の上流側には、器体２内の図示しないガスパイプが接続され、下流側には、上流路２１及び下流路２２に至る図示しないガスパイプが接続される。点消火ボタン１５は、カム機構部３１の前端に設けられている。なお、このプッシュスイッチ機構３０は、器体２内では図３，４のようにカム機構部３１が下向きとなる姿勢で前後方向に設置されるが、図５では、カム機構部３１の説明の便宜上、上下を逆にして示している。
【００１３】
まず、カム機構部３１は、ケースであるメカボックス３３と、メカボックス３３内に収容された前カム３４及び後カム３５とを備える。メカボックス３３は、横断面がＵ字状で下面及び前面を開口させたボックス本体３６と、ボックス本体３６の下面を閉塞するカバー３７とからなり、ボックス本体３６の左右の側面には、基板スイッチ３８とイグナイタスイッチ３９とが、レバー３８ａ，３９ａをそれぞれ下側且つ後向きとした姿勢でネジ止めされている。ボックス本体３６の前後方向中央には、透孔を有する仕切板４０が形成され、その後側の左右には、一対の切欠窓４１，４１が形成されて、左右の側面下部には、複数の係止突起４２，４２・・が前後方向へ所定間隔をおいて突設されている。ボックス本体３６の後端は、左右に張り出す閉塞板４３で閉塞されて、ボックス本体３６の内部に対向する部位には、透孔４４が形成され、その周囲にリング状突起４５が形成されている。閉塞板４３の下部後側には、後ピン受け部４６が突設されて、後ピン受け部４６には、倒コ字状の後レバーピン４７の後端が、抑えバネ４８により保持されている。よって、後レバーピン４７は、後端を中心に左右へ揺動可能となる。ボックス本体３６の前端内側には、左右にストッパ４９，４９が設けられ、前端の円弧状の上面３６ａには、同じ円弧状の突条５０，５０が前後に所定間隔をおいて設けられている。
【００１４】
カバー３７は、ボックス本体３６の下面から左右の側面下部に掛けて覆う横断面倒コ字状で、左右の折り返し部には、係止突起４２，４２・・が係止する角孔５１，５１・・が形成されて、前端中央には、前ピン受け部５２が突設されている。この前ピン受け部５２には、倒コ字状の前レバーピン５３の前端が、抑えバネ５４により保持されている。よって、前レバーピン５３は、前端を中心に左右へ揺動可能となる。また、カバー３７の下面には、後レバーピン４７の前端が挿入し、後端を中心とした円弧状の後長孔５５と、前レバーピン５３の後端が挿入し、前端を中心とした円弧状の前長孔５６とが左右方向に形成されている。
【００１５】
前カム３４は、上部外形がボックス本体３６に嵌合する横断面Ｕ字状のブロック体で、前面には、点消火ボタン１５が連結される連結ロッド６０が前向きに連結され、後面には、後カム３５を押圧する前側ロッド６１が後向きに突設されている。前カム３４の前側の左右両側面は二面幅に形成されて、その後部左右には、ボックス本体３６のストッパ４９，４９に後方から係止する係止面６２，６２が形成されている。
また、前カム３４の下部には、前カム溝６４を形成した板状のカム板部６３が後向きに形成されて、カム板部６３の前側には、下面及び前面が開放する凹部６５が形成されている。この前カム溝６４は、図１２にも示すように、尖端を後側に向けて左側が右側よりも前方へ長くなる平面視ハート形状の前循環部６６と、前循環部６６の尖端から後方へ延びる前直線部６７とからなる有底溝となっている。この前カム溝６４に、前長孔５６を貫通した前レバーピン５３の後端が挿入係止して、後述するように前カム３４の進退動に伴い前カム溝６４内を移動するようになっている。
さらに、前カム３４の外周面には、図６（Ａ）に示すように、Ｕ字状の上面と、カム板部６３に沿った左右の側面と下面とに、複数のガイド突起６８，６８・・が前後方向に突設されている。
【００１６】
後カム３５も、上部外形がボックス本体３６に嵌合する横断面Ｕ字状のブロック体で、後面には、流路開閉部３２の後述する弁軸８２を押圧する後側ロッド７０が後向きに突設されている。また、左右の両側面には、左アーム７１と右アーム７２とがそれぞれ突設されている。左アーム７１は、後カム３５の後退に伴って基板スイッチ３８のレバー３８ａを、右アーム７２は、後カム３５の後退に伴ってイグナイタスイッチ３９のレバー３９ａをそれぞれ押し込むもので、ここでは左アーム７１の方が右アーム７２よりも後方へ長く形成されて、基板スイッチ３８をＯＮさせるタイミングをイグナイタスイッチ３９をＯＮさせるタイミングよりも早く設定している。
【００１７】
さらに、後カム３５の下部には、前カム３４のカム板部６３が進入可能な逃げ凹部７３が前後方向に形成されており、逃げ凹部７３の底面に、後カム溝７４が形成されている。この後カム溝７４は、図１２に示すように、尖端を後側に向けて右側が左側よりも前方へ長くなる平面視ハート形状の後循環部７５と、後循環部７５の尖端から後方へ延びる後直線部７６とからなる有底溝となっている。この後カム溝７４に、後長孔５５を貫通した後レバーピン４７の前端が挿入係止して、後述するように後カム３５の進退動に伴い後カム溝７４内を移動するようになっている。
そして、後カム３５の外周面にも、図６（Ｂ）に示すように、Ｕ字状の上面と、左右アーム７１，７２を除く左右の側面とに、複数のガイド突起７７，７７・・が前後方向に突設されている。
【００１８】
ここでは前カム３４が、仕切板４０の前側でボックス本体３６に収容されて、前カム３４と仕切板４０との間には、前カム３４の前側ロッド６１が挿入する前コイルバネ７８が設けられる。よって、前カム３４は、係止面６２，６２がボックス本体３６のストッパ４９，４９に当接する前方位置と、カム板部６３を除く後面が仕切板４０に当接する後方位置との間で前後移動可能となる。
また、後カム３５は、仕切板４０の後側でボックス本体３６に収容されて、後カム３５とボックス本体３６の閉塞板４３との間には、後カム３５の後側ロッド７０が挿入する後コイルバネ７９が設けられる。後コイルバネ７９は、閉塞板４３の前面でリング状突起４５に後端が嵌合して保持される。よって、後カム３５は、前面が仕切板４０に当接する前方位置と、後側ロッド７０が弁軸８２を押し込んで後面がリング状突起４５に近接する後方位置との間で前後移動可能となる。
【００１９】
この状態でカバー３７をボックス本体３６に被せて下面を閉塞し、前レバーピン５３の後端を前長孔５６を介して前カム３４の前カム溝６４に係止させ、後レバーピン４７の前端を後長孔５５を介して後カム３５の後カム溝７４に係止させる。前カム３４及び後カム３５は、前コイルバネ７８と後コイルバネ７９とによってそれぞれ前方位置へ付勢されるが、後述するように、前レバーピン５３による前カム溝６４への係止位置と、後レバーピン４７による後カム溝７４への係止位置とによってそれぞれメカボックス３３内で前後位置を変更することになる。後カム３５の左右アーム７１，７２は、ボックス本体３６の切欠窓４１，４１を介してそれぞれ左右外方へ突出して、後カム３５の進退動に伴い、基板スイッチ３８及びイグナイタスイッチ３９をＯＮ／ＯＦＦさせることになる。
【００２０】
流路開閉部３２は、下側にガス入口８０が、上側にガス出口８１を有して内部にガス流路が形成される筒状体で、後端には、ガス流路の上流側を開閉するマグネット電磁弁１９が設けられて、ガス流路内には、ガス流路の下流側を開閉するメイン弁２０を備えた弁軸８２が進退動可能に収容されている。但し、弁軸８２は、前方へ閉弁付勢されるマグネット電磁弁１９によって、常態ではメイン弁２０を閉弁する前進位置に付勢されている。流路開閉部３２の前端には、弁軸８２が突出する取付フランジ８３が延設されて、ボックス本体３６の閉塞板４３に取付フランジ８３をネジ止めすることで、閉塞板４３の透孔４４と取付フランジ８３の開口８４とが同軸で連通して、弁軸８２がボックス本体３６内に突出可能となっている。
【００２１】
点消火ボタン１５は、正面視が円形状のボタン部８５と、ボタン部８５に前方から組み付けられる円形状のキャップ８６とを有し、キャップ８６の後面中央に突設した係止部８７を、ボタン部８５の中央から貫通させて、前カム３４の連結ロッド６０へ回転可能に外装された中間筒８８の前端へ係止させている。これにより、点消火ボタン１５は、中間筒８８と共に連結ロッド６０へ回転可能に連結される。
【００２２】
［火力調整部の説明］
そして、メカボックス３３と点消火ボタン１５との間には、上下バーナ１７，１８の火力を調整する火力調整部９０が設けられている。この火力調整部９０は、メカボックス３３に設けられた固定板９１と、固定板９１に設けられた２つの第１、第２マイクロスイッチ９２，９３と、両マイクロスイッチ９２，９３をＯＮ／ＯＦＦ動作させる動作カム９４と、中間筒８８と動作カム９４との間に設けられ、点消火ボタン１５の回転操作に伴って動作カム９４を連動して回転移動させる連動体９５と、連動体９５の回転角度を規制する回り止め部材９６とを備えている。
【００２３】
まず、固定板９１は、ボックス本体３６の上面で基板スイッチ３８及びイグナイタスイッチ３９よりも前側位置で左右方向に固定されて、左右の側縁には、切込み９７，９７が形成されている。第１、第２マイクロスイッチ９２，９３は、固定板９１の前面に設けられた位置決め板９８及び位置決めピン９９により、レバー９２ａ，９３ａを下向きに、且つレバー９２ａ，９３ａの先端に形成されたＶ字状の作用部９２ｂ、９３ｂが互いに隣り合う向きで、左側の第１マイクロスイッチ９２がやや左下がりとなるように左右に並べて固定されている。位置決めピン９９の下側で固定板９１の前面には、各レバー９２ａ，９３ａのＯＦＦ位置（下側への揺動位置）で各レバー９２ａ，９３ａを受ける支持ピン１００，１００が設けられている。
また、図３に示すように、第１、第２マイクロスイッチ９２，９３のリード線１０１，１０１は、それぞれ隣接する外側の切込み９７，９７に係止させてから後方へ引き回され、固定板９１の後方で互いに結束されてコントローラへ接続されている。
【００２４】
動作カム９４は、第１、第２マイクロスイッチ９２，９３の下方でボックス本体３６の円弧状の上面３６ａに設けられている。この動作カム９４は、図８に示すように、上面３６ａに沿った円弧状の底面を有し、底面に設けた凹溝１０２に、上面３６ａに突設した後側の突条５０を嵌合させることで、上面３６ａに沿って周方向へスライド可能となっている。また、動作カム９４は、周方向の中央が厚肉部１０３となり、周方向に連なる左右端が、周方向外側へ行くに従って徐々に薄くなる傾斜部１０４，１０４となっている。
連動体９５は、動作カム９４側のカム側連動部１０５と、点消火ボタン１５側の操作側連動部１０６とを有する。まず、カム側連動部１０５は、動作カム９４と一体形成されて前方へ向かって延び、横断面形状が、ボックス本体３６の上面３６ａに沿った円弧状の上板とその左右端から内側に折曲形成される側板とを有する半筒状となっている。両側板の底面には、上面３６ａの前側の突条５０が嵌合する嵌合凹部１０７，１０７がそれぞれ形成されている。よって、カム側連動部１０５は、動作カム９４と共に、上面３６ａに沿って周方向へスライド可能な状態で上面３６ａに載置される。
【００２５】
一方、操作側連動部１０６は、中間筒８８に周設したフランジ１０８と一体形成されて後方へ向かって延び、横断面形状が、カム側連動部と同様にボックス本体３６の上面３６ａに沿った円弧状の上板とその左右端から内側に折曲形成される側板とを有する半筒状となっている。但し、操作側連動部１０６はカム側連動部１０５よりも一回り大きく形成されて、図３，８に示すように、操作側連動部１０６にカム側連動部１０５が遊挿した状態となっている。よって、連動体９５は、点消火ボタン１５の前後位置に追従して前後方向へ伸縮しつつ、点消火ボタン１５の回転に連動して動作カム９４をボックス本体３６の上面３６ａに沿って周方向へスライドさせることになる。
【００２６】
［回り止め部材の説明］
回り止め部材９６は、連結ロッド６０が貫通する小径部１１０と、その小径部１１０より前側に連設される大径部１１１とを有する二段径の筒状体で、小径部１１０の貫通孔に、連結ロッド６０へ放射状に設けたリブ６０ａ，６０ａ・・が係合することで、回転が規制された状態で連結ロッド６０に組み付けられる。大径部１１１の外周には、左側規制片１１２と右側規制片１１３とが、左右対称に突設されて、両規制片１１２，１１３の各上面は、点消火ボタン１５の回転中心を通る１８０°の水平面上に位置している。中間筒８８は、大径部１１１の底面にスラストワッシャ１１４を介して当接した状態で、連結ロッド６０に挿通されている。
【００２７】
［火力調整の説明］
こうして形成される火力調整部９０では、後述する燃焼位置での点消火ボタン１５の回転操作に伴い、連動体９５を介して動作カム９４をスライドさせて、第１、第２マイクロスイッチ９２，９３をＯＮ／ＯＦＦ動作させることができる。このＯＮ／ＯＦＦ信号の組み合わせを得たコントローラが、上下切替電磁弁２４，２６を開閉動作させて上下バーナ１７，１８の火力を調整可能となっている。図７に、点消火ボタン１５の回転角度（回転限界角度である０°〜９０°を４つの範囲に分割したもの）と、各範囲毎の第１、第２マイクロスイッチ９２，９３のＯＮ／ＯＦＦ状態と上下バーナ１７，１８の火力との関係をそれぞれ示している。以下、火力調整について詳述するが、ここでの左右方向は、点消火ボタン１５を前方から見た状態で説明する。
【００２８】
まず、点消火ボタン１５の回転角度が０〜１５°の場合、図３，８に示すように、動作カム９４の厚肉部１０３は両マイクロスイッチ９２，９３の各レバー９２ａ，９３ａの作用部９２ｂ、９３ｂよりも左側へ離れて両マイクロスイッチ９２，９３をＯＦＦさせている。このＯＦＦ／ＯＦＦ信号の組み合わせでは、コントローラは、上流路２１と下流路２２との上下切替電磁弁２４，２６をそれぞれＯＦＦ（閉弁）させるため、上下バーナ１７，１８へ供給されるガス量はそれぞれ最小となり、火力はそれぞれ「弱」となる。
なお、点消火ボタン１５の回転角度が０°の場合、図３に示すように、操作側連動部１０６の左側の側板が回り止め部材９６の右側規制片１１３に当接するため、それ以上の左回転が規制される。
【００２９】
次に、点消火ボタン１５の回転角度が１５〜４５°の場合、図９に示すように、動作カム９４が右側へ移動することで、左側の第１マイクロスイッチ９２のレバー９２ａの作用部９３ｂが相対的に傾斜部１０４に乗り上げてそのまま厚肉部１０３上に移動するため、レバー９２ａが上側へ揺動して第１マイクロスイッチ９２がＯＮする。右側の第２マイクロスイッチ９３は傾斜部１０４が到達しないため、ＯＦＦのままである。このＯＮ／ＯＦＦ信号の組み合わせでは、コントローラは、下流路２２の下切替電磁弁２６をＯＮ（開弁）させるため、下バーナ１８へ供給されるガス量が下バイパス流路２５も加えて増加する。よって、下バーナ１８の火力は「強」となる。上バーナ１７は「弱」のままである。
【００３０】
ここで、図８（Ｂ）の矢印で図外に示すように、動作カム９４において、動作カム９４の底面のスライド軌跡となる円周に対し、傾斜部１０４の先端を通る接線Ｓを規定した場合、その接線Ｓに対する傾斜部１０４の立ち上がり角度θ１は、第１マイクロスイッチ９２のレバー９２ａの作用部９２ｂが傾斜部１０４の先端に位置した場合（二点鎖線で示す）の当該接線Ｓに対する作用部９２ｂの立ち上がり角度θ２よりも小さく（鋭角）となっている。よって、動作カム９４が移動して作用部９２ｂが傾斜部１０４に乗り上がる際、作用部９２ｂは自身よりも浅い角度である傾斜部１０４へスムーズに乗り上がってレバー９２ａを上側へ揺動させる。よって、点消火ボタン１５の回転操作に抵抗が生じにくくなる。これは、反対側の傾斜部１０４に乗り上がる場合も同じであり、第２マイクロスイッチ９３のレバー９３ａの作用部９３ｂにおいても同じである。
【００３１】
次に、点消火ボタン１５の回転角度が４５〜７５°の場合、図１０に示すように、動作カム９４がさらに右側へ移動することで、右側の第２マイクロスイッチ９３のレバー９３ａの作用部９３ｂも相対的に傾斜部１０４に乗り上げて厚肉部１０３上に移動するため、レバー９３ａが上側へ揺動して第２マイクロスイッチ９３もＯＮする。このＯＮ／ＯＮ信号の組み合わせでは、コントローラは、下流路２２の下切替電磁弁２６をＯＦＦさせ、上流路２１の上切替電磁弁２４をＯＮさせるため、下バーナ１８へ供給されるガス量は減少し、上バーナ１７へ供給されるガス量は増加する。よって、上バーナ１７の火力は「強」となり、下バーナ１８の火力は「弱」となる。
【００３２】
次に、点消火ボタン１５の回転角度が７５〜９０°の場合、図１１に示すように、動作カム９４がさらに右側へ移動することで、左側の第１マイクロスイッチ９２のレバー９２ａの作用部９２ｂは左側の傾斜部１０４を相対的に降りて厚肉部１０３上から外れるため、レバー９２ａは下側へ揺動して第１マイクロスイッチ９２はＯＦＦする。第２マイクロスイッチ９３はＯＮのままである。このＯＦＦ／ＯＮ信号の組み合わせでは、コントローラは、上流路２１の上切替電磁弁２４と下流路２２の下切替電磁弁２６とを共にＯＮさせるため、上バーナ１７へ供給されるガス量も上バイパス流路２３を加えて増加する。下バーナ１８へのガス量はそのままである。よって、上下バーナ１７，１８の火力はそれぞれ「強」となる。
【００３３】
そして、点消火ボタン１５の回転角度が９０°の場合は、操作側連動部１０６の右側の側板が回り止め部材９６の左側規制片１１２に当接することで、それ以上の右回転が規制され、操作側連動部１０６が左側規制片１１２を乗り越えることを防止できる。
このように、上下バーナ１７，１８への上下流路２１，２２に設けられた上バイパス流路２３及び上切替電磁弁２４、下バイパス流路２５及び下切替電磁弁２６が、コントローラを加えてガス量変更手段を構成している。
【００３４】
［プッシュスイッチ機構における点消火動作の説明］
以上の如く構成されたビルトインコンロ１のグリル部４におけるプッシュスイッチ機構３０において、点火から消火に至る動作を、図１２〜図１５に基づいて説明する。なお、各図（Ａ）は図４と同じ上下の側面を示し、各図（Ｂ）は底面を示すと共に、カバー３７を省略して後長孔５５及び前長孔５６のみを仮想線で示している。コンロ部３におけるプッシュスイッチ機構の動作も、火力調整部９０の構成を除いてグリル部４と同じである。
まず、点消火ボタン１５を操作しない状態では、図１２に示すように、前カム３４は、前レバーピン５３の後端が前長孔５６を介して前カム溝６４の前循環部６６の前側中央に係止することで、前コイルバネ７８の付勢に抗して前方位置よりやや後方（初期位置）にある。後カム３５は、後コイルバネ７９の付勢により、仕切板４０に当接する前方位置にあり、後レバーピン４７の前端が後長孔５５を介して後カム溝７４の後直線部７６内に位置している。
【００３５】
この状態で、前カム３４と前後動が一体の点消火ボタン１５は、キャップ８６が器体２の前面（ここではフロントパネル７の前面で、ラインＬで示す。）よりやや突出してラインＬに沿った位置にある。ここでは前カム３４のカム板部６３が仕切板４０より後方へ突出しているが、後カム３５には逃げ凹部７３が形成されているため、後カム３５とは干渉せず、カム板部６３は逃げ凹部７３の底面に重合している。
また、この状態では、後カム３５の後側ロッド７０は弁軸８２から前方へ離間しているので、流路開閉部３２の弁軸８２は前進位置にあってマグネット電磁弁１９及びメイン弁２０は閉弁状態にある（消火位置）。また、後カム３５の左右アーム７１，７２も基板スイッチ３８及びイグナイタスイッチ３９の各レバー３８ａ，３９ａから前方へ離間している。
【００３６】
ここから点消火ボタン１５を押し込むと、図１３に示すように、後退した前カム３４の前側ロッド６１が仕切板４０の透孔を貫通して後カム３５に当接し、後カム３５を後コイルバネ７９の付勢に抗して後退させる。そして、後退した後カム３５の後側ロッド７０が弁軸８２に当接して弁軸８２を後退させて、後退した弁軸８２がマグネット電磁弁１９を強制的に開弁させた状態で押し込みが規制される（点火押切位置）。このとき、前レバーピン５３の後端は前循環部６６内を移動してその左側前端に位置し、後レバーピン４７の前端は後循環部７５内を移動してその右側前端に位置する。なお、前カム溝６４及び後カム溝７４の底部には、前レバーピン５３及び後レバーピン４７の端部の移動方向を図１３での右回転方向に規制する段部が形成されていると共に、前後レバーピン５３，４７は抑えバネ５４，４８によって各カム溝６４，７４の底部側へ押し付けられているので、各カム溝６４，７４から脱却することなく一方向のみにガイドされる。
また、前カム３４が後退する際、後方へ突出するカム板部６３は、後カム溝７４の逃げ凹部７３の底面上を摺接するので、前カム３４の後退がカム板部６３を介して後カム３５の逃げ凹部７３にガイドされ、スムーズに移動できる。このときカム板部６３が後カム溝７４と干渉することはない。さらに、前カム３４及び後カム３５の外周面には、前後方向にガイド突起６８，７７が形成されているので、メカボックス３３内でこじれたりすることなくスムーズに前後移動できる。
【００３７】
この点火押切位置では、マグネット電磁弁１９と共にメイン弁２０も開弁して流路開閉部３２のガス流路内に燃料ガスが供給される。よって、上下バーナ１７，１８へ燃料ガスが供給される。これと同時に、後カム３５の左アーム７１が基板スイッチ３８のレバー３８ａを、右アーム７２がイグナイタスイッチ３９のレバー３９ａをそれぞれ順番に押し込んで両スイッチ３８，３９をＯＮさせるため、コントローラからマグネット電磁弁１９に通電されると共にイグナイタが作動して点火動作がなされる。
【００３８】
次に、点火押切位置から点消火ボタン１５の押し込みを解除すると、図１４に示すように、前カム３４は、前コイルバネ７８の付勢により、係止面６２，６２がボックス本体３６のストッパ４９，４９に係止する前方位置に移動する。この前進の際、前カム３４の前側上部には凹部６５が形成されているので、メカボックス３３側の前ピン受け部５２とは干渉しない。
この前カム３４の前進と共に点消火ボタン１５も前進して、フロントパネル７の前面よりも大きく前方へ突出する。このとき前レバーピン５３の後端は、前循環部６６から前直線部６７に移動してその後端近くに位置している。また、後カム３５は、後コイルバネ７９の付勢により、後レバーピン４７の前端が後循環部７５内を移動してその前側中央に係止することで前進が規制される。なお、後長孔５５の前縁には、後レバーピン４７の前端に軽係止する係止突部５５ａ（図５，１３）が形成されて、後レバーピン４７が係止位置から不意に移動することを防止している。
【００３９】
この状態で、流路開閉部３２では、マグネット電磁弁１９は通電によって開弁保持されているので、弁軸８２は移動せず、メイン弁２０も開弁した状態となって燃料ガスの供給は継続される（燃焼位置）。また、後カム３５の左アーム７１は基板スイッチ３８のレバー３８ａを押し込んだ状態にあって基板スイッチ３８のＯＮを継続させ、右アーム７２はイグナイタスイッチ３９のレバー３９ａから離間してイグナイタスイッチ３９をＯＦＦさせる。
さらに、点消火ボタン１５を回転させれば、前述のように連動体９５を介して動作カム９４をスライドさせ、第１、第２マイクロスイッチ９２，９３をＯＮ／ＯＦＦさせるため、コントローラが上下切替電磁弁２４，２６をＯＮ／ＯＦＦさせて上下バーナ１７，１８の火力を調整することができる。点消火ボタン１５の回転に伴う第１、第２マイクロスイッチ９２，９３のＯＮ／ＯＦＦ動作の切り替わり時には、コントローラは、火力の切替をユーザに報知する電子音を発生させる。
【００４０】
そして、燃焼位置から点消火ボタン１５を押し込むと、図１５に示すように、前カム３４は後退して、前レバーピン５３の後端が前循環部６６内を移動してその右側前端に係止することで押し込みが規制される（消火押切位置）。この前カム３４の押し込みにより、前側ロッド６１に押圧されて後カム３５も後退し、後レバーピン４７の前端が後循環部７５内を移動してその左側前端近くに位置する。
このときも前カム３４が後退する際、カム板部６３が、後カム溝７４の逃げ凹部７３の底面上に再び重なって当該底面上を摺接するので、前カム３４の後退がカム板部６３を介して後カム３５の逃げ凹部７３にガイドされ、スムーズに移動できる。
【００４１】
この消火押切位置で点消火ボタン１５から手を離すと、前カム３４は、前コイルバネ７８の付勢により、前レバーピン５３の後端が前循環部６６内を移動してその前側中央に係止する図１２の位置に復帰する。後カム３５も、後レバーピン４７の前端が後循環部７５から後直線部７６に移動して仕切板４０に当接する図１２の位置に復帰する。この後カム３５の前進により左アーム７１が基板スイッチ３８のレバー３８ａから離間して基板スイッチ３８をＯＦＦさせるため、コントローラはマグネット電磁弁１９への通電を停止してマグネット電磁弁１９を閉弁させる。これにより、流路開閉部３２では弁軸８２も前進してメイン弁２０を閉弁させるため、燃料ガスの供給が停止して上下バーナ１７，１８は消火する。
【００４２】
そして、図１４の燃焼位置で点消火ボタン１５を回転させて火力調整を行った際、回転範囲の両端では、連動体９５の操作側連動部１０６が回り止め部材９６の左側又は右側規制片１１２，１１３に当接するので、連動体９５が左側又は右側規制片１１２，１１３を乗り越えることを防止してそれ以上の回転を規制できる。特に、回り止め部材９６は、操作側連動部１０６とカム側連動部１０５との挿入部分よりも前側に設けられて、左側及び右側規制片１１２，１１３は操作側連動部１０６の前寄りに当接しているので、連動体９５の乗り越えはより確実に防止される。
但し、操作側連動部１０６は、回り止め部材９６よりも強度の弱い樹脂で形成されているので、点消火ボタン１５に無理な回転力が加わると、操作側連動部１０６が先に破損することになる。このため、操作側連動部１０６に遊挿しているカム側連動部１０５及び動作カム９４は、非固定状態となってボックス本体３６の上面３６ａから落下する。よって、連動体９５が破損しても、点消火ボタン１５を消火押切位置まで押し操作することができ、上下バーナ１７，１８を確実に消火させることができる。
【００４３】
［火力調整部に係る発明の効果］
このように、上記形態のビルトインコンロ１によれば、カム機構部３１が収容されるメカボックス３３に、固定板９１が左右方向に固定されてその固定板９１の前面に、第１、第２マイクロスイッチ９２，９３が左右方向に並べて固定され、動作カム９４は、点消火ボタン１５の回転に連動して第１、第２マイクロスイッチ９２，９３の各レバー９２ａ，９３ａの下方で円周方向に移動することで、各レバー９２ａ，９３ａを上下に揺動させる構成となっている。よって、上下バーナ１７，１８を有するグリル部４を備え、第１、第２マイクロスイッチ９２，９３のＯＮ／ＯＦＦ動作に基づいて上下バーナ１７，１８の火力調整を行うものであっても、組み付けや組み付け状態の確認を容易に行うことができる。また、第１、第２マイクロスイッチ９２，９３をＯＮ／ＯＦＦ動作させる場合でも、動作カム９４は、厚肉部１０３の両端に傾斜部１０４，１０４を設けるシンプルな形状となる。
【００４４】
特にここでは、各レバー９２ａ，９３ａの先端部には、Ｖ字状の作用部９２ｂ、９３ｂが形成され、動作カム９４の円周方向の両端には、動作カム９４への作用部９２ｂ、９３ｂの乗り降りを導く傾斜部１０４，１０４が形成されて、円周方向との接線Ｓからの傾斜部１０４の立ち上がり角度θ１は、接線Ｓからの作用部９２ｂ、９３ｂの立ち上がり角度θ２よりも小さくなっている。よって、第１、第２マイクロスイッチ９２，９３の各レバー９２ａ，９３ａに動作カム９４が強く当たることを防止でき、火力調整時の点消火ボタン１５の操作感を損なうことがない。
また、固定板９１の側縁には、切込み９７，９７が形成され、第１、第２マイクロスイッチ９２，９３から延びるリード線１０１は、切込み９７に係止して後方へ引き回され、固定板９１の後方で互いに結束されているので、第１、第２マイクロスイッチ９２，９３の複数のリード線１０１，１０１・・をまとめることができ、組み付けやメンテナンスの際の作業性が良好となる。
【００４５】
なお、上記形態では、２つのマイクロスイッチを、作用部が隣り合う向きで左右に並べて配置されているが、作用部が左右何れかの同じ側となる向きや、互いに異なる外向きとなるように配置することもできる。作用部も、Ｖ字状に限らず、半円状等であっても差し支えない。
【００４６】
［回り止め部材に係る発明の効果］
このように、上記形態のビルトインコンロ１によれば、点消火ボタン１５側に、点消火ボタン１５の押し込み操作と一体に前後動して回転不能で、点消火ボタン１５の所定の回転限界角度（０°及び９０°）で操作側連動部１０６が当接してそれ以上の回転を規制する回り止め部材９６が設けられていることで、点消火ボタン１５の回転限界角度以上の回転を効果的に防止して、点消火ボタン１５と連動する連動体９５の破損や変形を抑制することができる。
特にここでは、回り止め部材９６は、操作側連動部１０６における点消火ボタン１５側寄りの位置で操作側連動部１０６に当接することで、カム側連動部１０５との結合部分から離すことができ、回り止め部材９６の乗り越えをより確実に防止することができる。
【００４７】
また、動作カム９４は、カム側連動部１０５と一体に設けられて、カム機構部３１を収容するボックス本体３６上に載置されている。前述のように点消火ボタン１５及び連動体９５に無理な回転力が加わった場合、連動体９５は、回り止め部材９６と当接している操作側連動部１０６で破損することになる。このとき、カム側連動部１０５及び動作カム９４は、完全に非固定状態となるので、カム側連動部１０５及び動作カム９４は、ボックス本体３６から下方へ落下し、点消火ボタン１５の操作の妨げにならない。すなわち、操作側連動部１０が破損しても点消火ボタン１５の押し操作を担保することができ、少なくとも消火が可能となる。
さらに、操作側連動部１０は、カム側連動部１０５よりも強度が低くなっているので、より確実に操作側連動部１０で破損させることができ、カム側連動部１０５及び動作カム９４を確実に落下させることができる。
【００４８】
なお、上記形態では、カム側連動部を操作側連動部に遊挿させているが、これと逆にして、操作側連動部をカム側連動部に遊挿させても差し支えない。また、両連動部は半筒状に限らず、一方を板状、他方を筒状とする等、形状は適宜変更可能である。
さらに、回り止め部材の形状も適宜変更可能で、規制片は回転限界角度の両端に合わせて左右に設ける場合に限らず、最大側（ここでは９０°の左側規制片１１２）のみ設けることもできる。操作側連動部との当接位置も前後に変更できる。
加えて、操作側連動部とカム側連動部との強度の相違は、樹脂材料の相違による場合に限らず、形状、構造の相違、例えば同じ樹脂材料でも操作側連動部の肉厚をカム側連動部の肉厚よりも薄くしたり、操作側連動部に透孔を設けたりすることで、操作側連動部が先に破損するようにしてもよい。
そして、上記形態では、グリル部のプッシュスイッチ機構に回り止め部材を設けているが、コンロ部のプッシュスイッチ機構にも同様に回り止め部材を設けて操作部材の回転規制を図ってもよい。
【００４９】
その他、各発明に共通して、カム機構部の２つのカムの形状や各カム溝の形状は上記形態に限らず、適宜変更可能で、例えば重合部となるカム板部を後カムに設けて前カムに対して摺接させることもできるし、カム溝のない重合部を設けることもできる。前後レバーピンや前後長孔の形状や位置も変更可能である。
また、上記形態では、２つのカムにカム溝を設け、カムを保持するメカボックス側にレバーピンを設けているが、これと逆に、２つのカムにレバーピンをそれぞれ設け、メカボックス側にカム溝を設けても、点消火ボタンの押し操作による２つのカムの前後位置の変更は可能である。
さらに、２つのカムによりカム機構部を形成するものに限らず、１つのカムによるカム機構部であっても、２つのマイクロスイッチによる火力調整や、回り止め部材による操作部材の回転規制は可能である。
【００５０】
そして、ビルトインコンロの形態も上記説明に限らず、コンロ部が２口のものであってもよいし、ビルトインコンロに限らず、テーブルコンロ等の他のガス調理器具においても本発明は適用可能である。
【符号の説明】
【００５１】
１・・ビルトインコンロ、２・・器体、３・・コンロ部、４・・グリル部、５・・本体、７・・フロントパネル、１０・・コンロバーナ、１５・・点消火ボタン、１７・・上バーナ、１８・・下バーナ、１９・・マグネット電磁弁、２０・・メイン弁、２１・・上流路、２２・・下流路、２４・・上切替電磁弁、２６・・下切替電磁弁、３０・・プッシュスイッチ機構、３１・・カム機構部、３２・・流路開閉部、３３・・メカボックス、３４・・前カム、３５・・後カム、３６・・ボックス本体、３６ａ・・上面、３７・・カバー、３８・・基板スイッチ、３９・・イグナイタスイッチ、４０・・仕切板、４７・・後レバーピン、５３・・前レバーピン、５５・・後長孔、５６・・前長孔、６４・・前カム溝、６８，７７・・ガイド突起、７４・・後カム溝、８０・・ガス入口、８１・・ガス出口、８２・・弁軸、９０・・火力調整部、９１・・固定板、９２・・第１マイクロスイッチ、９２ａ，９３ａ・・レバー、９２ｂ，９３ｂ・・作用部、９３・・第２マイクロスイッチ、９４・・動作カム、９５・・連動体、９６・・回り止め部材、９７・・切込み、１０１・・リード線、１０３・・厚肉部、１０４・・傾斜部、１０５・・カム側連動部、１０６・・操作側連動部、１１２・・左側規制片、１１３・・右側規制片、Ｓ・・接線、Ｌ・・フロントパネルの前面。
【図１】
2019032117.tif 000003
【図２】
2019032117.tif 000004
【図３】
2019032117.tif 000005
【図４】
2019032117.tif 000006
【図５】
2019032117.tif 000007
【図６】
2019032117.tif 000008
【図７】
2019032117.tif 000009
【図８】
2019032117.tif 000010
【図９】
2019032117.tif 000011
【図１０】
2019032117.tif 000012
【図１１】
2019032117.tif 000013
【図１２】
2019032117.tif 000014
【図１３】
2019032117.tif 000015
【図１４】
2019032117.tif 000016
【図１５】
2019032117.tif 000017